(57)【要約】  簡易な構造により引き出し式の扉の左右方向の位置決めを安定的に行うことを目的とする冷蔵庫を提供する。本発明に係る冷蔵庫は、前面が開口した内箱と外箱から成る断熱箱体に形成された貯蔵室と、貯蔵室の開口部を塞ぎ開閉自在に形成された引き出し式の扉と、扉の貯蔵室を向いた面に取り付けられ、貯蔵室の開口部に密着するガスケットと、扉の左右方向の端部から貯蔵室の奥に向かって延び、貯蔵容器を支持するフレームと、貯蔵室の左右方向の端部に設けられたガイドと、を備え、フレームは、側面にスライダーが取り付けられ、スライダーは、貯蔵室の側面に向いた位置決め面を備え、位置決め面は、貯蔵室の前面から奥に向かって貯蔵容器側に傾斜し、ガイドは、扉が閉じられた状態において、スライダーの位置決め面と対向する案内面を備え、案内面は、貯蔵室の前面から奥に向かって貯蔵容器側に傾斜する。
2019171567.tif 000002
【特許請求の範囲】
【請求項１】
前面が開口した内箱と外箱から成る断熱箱体に形成された貯蔵室と、
前記貯蔵室の開口部を塞ぎ開閉自在に形成された引き出し式の扉と、
前記扉の前記貯蔵室を向いた面に取り付けられ、前記貯蔵室の開口部に密着するガスケットと、
前記扉の左右方向の端部から前記貯蔵室の奥に向かって延び、貯蔵容器を支持するフレームと、
前記貯蔵室の左右方向の端部に設けられたガイドと、を備え、
前記フレームは、
側面にスライダーが取り付けられ、
前記スライダーは、
前記貯蔵室の側面に向いた位置決め面を備え、
前記位置決め面は、
前記貯蔵室の前面から奥に向かって前記貯蔵容器側に傾斜し、
前記ガイドは、
前記扉が閉じられた状態において、前記スライダーの前記位置決め面と対向する案内面を備え、
前記案内面は、
前記貯蔵室の前面から奥に向かって前記貯蔵容器側に傾斜する、冷蔵庫。
【請求項２】
前記ガイドは、
前記貯蔵室の前記開口部の底面に設けられ、
前記フレームは、
前記扉が閉じられた状態において、前記ガイドに対応した位置に前記スライダーを有する、請求項１記載の冷蔵庫。
【請求項３】
前記貯蔵室の奥側の底面に更に前記ガイドが備えられている、請求項２記載の冷蔵庫。
【請求項４】
前記貯蔵室の側面に前後方向に沿って配設されたレールを更に備え、
前記ガイドは、
前記レールに一体に形成される、請求項３記載の冷蔵庫。
【請求項５】
前記フレームと前記スライダーとの間に挟まれ配置されるスペーサーを更に備える、請求項１〜４の何れか１項に記載の冷蔵庫。
【請求項６】
前記スペーサーは、
前記スライダーの前記位置決め面に垂直な方向の荷重が掛かった際に厚さ方向に圧縮され、前記荷重が除かれた際に復元する材料で形成されている、請求項５記載の冷蔵庫。
【請求項７】
前記スライダーの前記位置決め面と前記ガイドの前記案内面とは、
前記扉が閉じられた状態において、当接する、請求項１〜６の何れか１項に記載の冷蔵庫。
【発明の詳細な説明】
【技術分野】
【０００１】
本発明は、冷蔵庫に関し、特に引き出し式の扉を閉じた状態における扉の位置決め構造に関する。
【背景技術】
【０００２】
従来、冷蔵庫の引き出し式で開閉する扉は、貯蔵室開口部の底面の左右にそれぞれ設けられたガイドの上を、貯蔵容器の左右側面に沿って設けられたフレームが前後方向に移動することによって開閉される。ガイドは、フレームを載置する形状とフレームが前後に移動する際の案内部となる形状を有している。つまり、貯蔵室開口部の底面の左右に設けられた２つのガイドの案内部の間にフレームが収まる構造である。フレームの先端側、すなわち扉が閉じられた状態においてフレームの貯蔵室の奥側に位置する部分には、ローラーが取り付けられている。ローラーは、貯蔵室の内側の側面に配設されたレールに収まっている。扉開閉時にはガイド上を移動するフレームと、レール上を移動するローラーにより、扉は滑らかな開閉動作が可能となっている。【０００３】
扉の開閉動作を支持する構造は、貯蔵室の左右方向の幅寸法に製造上の寸法ばらつきがあるため、フレームの側面とガイドの案内部との間に隙間を設けている。フレームの側面の寸法及びガイドの案内部に寸法ばらつきが生じても、隙間を設けていることにより、部品同士が干渉することなく扉を開閉することが可能である。しかし、貯蔵室の幅寸法が広くなるにつれて、内箱及びその他の構成部品の左右方向の寸法ばらつきが大きくなり隙間が大きくなると、扉を閉じた状態における扉の位置が定まりにくくなる。逆に、寸法ばらつきにより隙間が狭くなると、部品間の隙間が小さくなるため、扉を冷蔵庫本体に組付ける時及び扉の開閉動作時に滑らかに開閉動作が出来なくなり、隣の扉と干渉するおそれもある。【０００４】
貯蔵容器が貯蔵室の内部の所定位置に完全に戻されていない状態においては、扉と貯蔵室の開口部との間に隙間が生じる。扉と貯蔵室の開口部との間に生じた隙間は、貯蔵室からの冷気漏れを発生させ、貯蔵室内温度に悪影響を与える。また、冷気漏れは、冷蔵庫の外観部等に露付き発生の原因となり、冷蔵庫外観の悪化にも繋がる。そのため、冷蔵庫は、貯蔵容器の出し入れを繰り返しても扉及び貯蔵容器が確実に貯蔵室内の所定位置に戻り、貯蔵室内の環境が保たれることが求められている。【０００５】
扉が閉じられた状態において、扉の左右方向の位置のばらつきを低減する為に、例えば、貯蔵室開口部の側面に取り付けたローラーと貯蔵容器の側面に取り付けた位置決め部材の傾斜面とを持つ構造が知られている。扉の閉じる動作に従って、ローラーと位置決め部材の傾斜面との隙間が小さくなり、扉閉塞時には位置決め部材の傾斜面とローラーとが当接することで、貯蔵容器を所定の位置に誘導する構造がある（例えば、特許文献１参照）。【０００６】
また、貯蔵容器の側面に傾斜面のある凹形状を有する部品を取り付け、扉の閉塞時に貯蔵室内に設けた凸形状が凹形状内に降下して、扉の前後方向の位置決めを行う構造が知られている。凹形状は、上方から底部に行くに従い冷蔵庫前方へ傾斜する傾斜面を備えて下り、傾斜面が凸形状に組み合わさることで扉の前後方向の位置決めが行われる（例えば、特許文献２参照）。
【先行技術文献】
【特許文献】
【０００７】
【特許文献１】特開１９９３−２２３４４１号公報
【特許文献２】特開２０１５−１１７８３６号公報
【発明の概要】
【発明が解決しようとする課題】
【０００８】
従来の冷蔵庫における引出し式の扉では、構成部品の製造上で発生する寸法のばらつきから貯蔵容器の出し入れ動作の際に貯蔵室の左右方向に隙間が発生する。引き出し式の扉が隣合って設置されている場合においては、隙間により扉の位置が安定せず、隣合う扉同士の衝突により部品の欠損が発生する。また、扉の位置ずれにより、貯蔵室の開口部と扉のガスケットとのずれが生じ、貯蔵室内からの冷気漏れが発生する。ひいては、冷蔵庫の外観部の結露、及び扉の位置のずれによる外観悪化を招いてしまう場合がある。【０００９】
特許文献１の貯蔵庫においては、貯蔵室開口部に固定したローラーを用いた引き出し式扉を備えるが、扉が開いた時の扉の落下を防ぐ為、貯蔵容器を支持するフレーム及びローラーの取り付け位置を貯蔵室の上部にする必要がある。そのため、フレーム及びローラーを設けることにより貯蔵容器の上部開口の面積が減少し、貯蔵容器の容積が低減する。また、ローラーを貯蔵容器の側面と位置決め部品とにより挟み込む構造である為、引き出し扉の冷蔵庫本体への組付けが困難である。【００１０】
特許文献２の冷蔵庫においては、上下に傾斜面がスライドし凹凸が組み合わさる構造であるため、凸形状を降下させる機構を貯蔵室内に備えなければならない。これにより、貯蔵容器の容積が小さくなる。また、上下に凹凸が組み合わさる構造であるため、左右方向の位置決めができず、貯蔵容器収納時の左右方向の位置決めをすることができない。【００１１】
本発明は、上記のような課題を解決する為になされたもので、簡易な構造により引き出し式の扉の左右方向の位置決めを安定的に行うことを目的とする。
【課題を解決するための手段】
【００１２】
本発明に係る冷蔵庫は、前面が開口した内箱と外箱から成る断熱箱体に形成された貯蔵室と、前記貯蔵室の開口部を塞ぎ開閉自在に形成された引き出し式の扉と、前記扉の前記貯蔵室を向いた面に取り付けられ、前記貯蔵室の開口部に密着するガスケットと、前記扉の左右方向の端部から前記貯蔵室の奥に向かって延び、貯蔵容器を支持するフレームと、前記貯蔵室の左右方向の端部に設けられたガイドと、を備え、前記フレームは、側面にスライダーが取り付けられ、前記スライダーは、前記貯蔵室の側面に向いた位置決め面を備え、前記位置決め面は、前記貯蔵室の前面から奥に向かって前記貯蔵容器側に傾斜し、前記ガイドは、前記扉が閉じられた状態において、前記スライダーの前記位置決め面と対向する案内面を備え、前記案内面は、前記貯蔵室の前面から奥に向かって前記貯蔵容器側に傾斜する。
【発明の効果】
【００１３】
本発明によれば、扉が閉じる際に、貯蔵室開口部と扉との左右方向の位置決めが精度よく行われるため、隣合った扉との衝突を抑制することができる。また、扉に設けられたガスケットと貯蔵室開口部のずれを抑えることにより、貯蔵室内の密閉状態を保ち、冷気漏れ及び結露の発生を抑えることができる。更に、扉を閉塞した状態において扉が所定位置に位置決めされるため、隣合う扉との相対的な位置のずれが低減し、扉閉塞時の外観の悪化を防ぐことができる。
【図面の簡単な説明】
【００１４】
【図１】実施の形態１における冷蔵庫の正面図である。
【図２】図１の冷蔵庫の製氷室及び切替室の扉を開けた状態の斜視図である。
【図３】図１の冷蔵庫の切替室の貯蔵容器と周辺部品とを説明する斜視図である。
【図４】図１の冷蔵庫の切替室を正面から見た際の右側の支持構造の断面構造の説明図である。
【図５】図１のＡ−Ａ部の断面図である。
【図６】図５の切替室周辺を拡大した図である。
【図７】実施の形態１に係る冷蔵庫の扉のフレームの拡大図である。
【図８】図７のスライダーの上面図である。
【図９】図７のスライダーの斜視図である。
【図１０】図１のＢ−Ｂ部の断面図である。
【図１１】図１０の切替室の部分の拡大図である。
【図１２】実施の形態１に係る冷蔵庫の切替室の位置決め構造の拡大図である。
【図１３】実施の形態１に係る冷蔵庫の切替室の位置決め構造の拡大図である。
【図１４】実施の形態２に係る冷蔵庫の切替室の位置決め構造の構成を示す。
【図１５】実施の形態３に係る冷蔵庫の切替室の位置決め構造の構成を示す。
【図１６】実施の形態４に係る冷蔵庫の切替室の位置決め構造の構成を示す。
【発明を実施するための形態】
【００１５】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。また、図面では各構成部材の大きさの関係が実際のものとは異なる場合がある。
【００１６】
実施の形態１
図１は、実施の形態１における冷蔵庫１００の正面図である。冷蔵庫１００の断熱箱体１は、外観を構成する外箱２５と内部の貯蔵室の壁を構成する内箱２４とから形成されている。外箱２５と内箱２４との間の空間には、断熱材が充填されている。また、断熱箱体１は、内部が複数の貯蔵室に仕切られている。断熱箱体１の各貯蔵室は、それぞれ前面の開口部を閉塞する扉７〜１２が設けられている。図１に示されるように、冷蔵庫１００は複数の貯蔵室に区分けされており、貯蔵室は、収納する食品や用途によって異なる温度帯に設定される。冷蔵庫１００は、例えば、上部に冷蔵室２が配置され、その下方に製氷室３及び保存温度帯切り替え可能な切替室４が配置されている。製氷室３及び切替室４の下方には、冷凍室５が配置され、最下段に野菜室６が配置されている。製氷室３及び切替室４は、左右方向に互いに隣合って配置されており、引出し式の扉９、１０により閉塞されている。なお、上記の各貯蔵室の配置は一例であり、各貯蔵室の配置は、適宜変更することができる。また、冷蔵室２、製氷室３、切替室４、冷凍室５、及び野菜室６は、以下の説明において貯蔵室と呼ぶ場合がある。
【００１７】
図２は、図１の冷蔵庫１００の製氷室３及び切替室４の扉９、１０を開けた状態の斜視図である。貯蔵室のうち、冷蔵室２は、前面がヒンジ式の回転扉７、８により閉塞されている。冷蔵室２は、ヒンジが冷蔵庫１００の左右方向の両端部に設けられており、回転扉７、８が観音開きになる様に構成されている。また、製氷室３、切替室４、冷凍室５、及び野菜室６は、引き出し式の扉９〜１２により閉塞されており、製氷室３は扉９、切替室４は扉１０、冷凍室５は扉１１、野菜室６は扉１２により閉塞されている。引き出し式の扉９〜１２によって閉塞されている貯蔵室は、大きさ及び形状等が異なるが、貯蔵容器１４の出し入れするための支持構造は同様に構成されている。引き出し式の扉９〜１２を備える貯蔵室を代表して切替室４の冷蔵庫１００の正面から向かって右側の支持構造について説明する。
【００１８】
図３は、図１の冷蔵庫１００の切替室４の貯蔵容器１４と周辺部品とを説明する斜視図である。図４は、図１の冷蔵庫１００の切替室４を正面から見た際の右側の支持構造の断面構造の説明図である。図４は、切替室４のガイド２２の断面を含み、フレーム２１、ガイド２２、レール２３、及びローラー１８の位置関係を示している。引き出し式の扉１０は、フレーム２１が取り付けられている。フレーム２１は、貯蔵室の内部向かってが突出するように扉１０に取り付けられている。フレーム２１は、冷蔵庫１００内に貯蔵する物を入れる容器である貯蔵容器１４を支持している。引き出し式の扉１０により閉塞されている貯蔵室の開口部の左右の端部にはガイド２２が設置されている。ガイド２２は、貯蔵室の仕切り１３の上に設置されている。図４においては、仕切り１３は、切替室４と冷凍室５とを仕切っている。
【００１９】
ガイド２２は、冷蔵庫１００の正面から見てＬ字形状に形成されている。ガイド２２は、Ｌ字形状の水平方向に延びる部位にフレーム２１の底面が載置され、フレーム２１を支持する載置部２２ａを備え、Ｌ字形状の垂直方向に延びる部位にフレーム２１の側面を案内する為の案内部２２ｂを備えている。フレーム２１の先端部２１ａ、すなわち扉１０が閉じられた状態において貯蔵室の内部の最も奥側の部分に位置する側面には、ローラー１８が取り付けられている。
【００２０】
フレーム２１は、下部がガイド２２に載置されている。ガイド２２の載置部２２ａは、突起２２ｄを備えており、フレーム２１の下部との接触面積を低減させるために先端が丸められている。ローラー１８は、貯蔵室内部の側面に冷蔵庫１００の前後方向に沿って配設されたレール２３に載置される。フレーム２１がガイド２２上を摺動し、フレーム２１に取り付けられたローラー１８がレール２３の上を転動することにより、引き出し式の扉１０は、前後方向に移動し、切替室４が開閉自在に構成される。
【００２１】
図５は、図１のＡ−Ａ部の断面図である。図６は、図５の切替室４周辺を拡大した図である。貯蔵室は冷蔵庫１００の断熱箱体１の内側面を形成する内箱２４と底面を形成する仕切り１３と、を備える。仕切り１３の左右方向の端部にはガイド２２が取り付けられる。実施の形態１においては、ガイド２２は、貯蔵室開口部２９側に位置する。扉１０に取り付けられ一体化している左右のフレーム２１に挟まるように貯蔵容器１４が載置され、フレーム２１がガイド２２及びレール２３に沿って移動することで引き出し式の扉１０の開閉がされ貯蔵容器１４は冷蔵庫１００の前後方向に移動する。
【００２２】
図７は、実施の形態１に係る冷蔵庫１００の扉１０のフレーム２１の拡大図である。図８は、図７のスライダー１６の上面図である。図９は、図７のスライダー１６の斜視図である。フレーム２１は、フレーム前端部２１ｂが扉１０に取り付けられて扉１０と一体化される。フレーム２１には、フレーム前端部２１ｂ側の下部に穴１５が開けられている。フレーム２１は、図４に示される様に断面がＬ字形状をしており、穴１５は、Ｌ字形状の角部に開けられている。実施の形態１において、穴１５は、冷蔵庫１００の側面方向及び底面方向から見て矩形に形成されている。
【００２３】
穴１５には、スライダー１６が装着される。なお、フレーム２１は、扉１０の左右の端部に取り付けられており、フレーム２１のそれぞれにスライダー１６が取り付けられている。スライダー１６は、図８及び図９に示される様にフレーム２１の穴１５に収まるような凸部１６ａを有している。スライダー１６をフレーム２１に取り付ける場合、凸部１６ａをフレーム２１に形成された穴１５に嵌合させて取り付ける。なお、スライダー１６は、例えばフレーム２１に形成されたねじ孔からねじを螺挿することにより取り付けても良い。
【００２４】
また、スライダー１６は、上面から見た時に位置決め面１６ｂが傾斜している。位置決め面１６ｂは、冷蔵庫１００の前面側に位置する端部の幅が広く、冷蔵庫１００の奥側の端部の幅が狭くなっており、冷蔵庫１００前面側から奥側に行くにつれて貯蔵容器１４側に傾斜するテーパー形状に構成されている。スライダー１６のフレーム２１への取り付け位置は、扉１０が閉まり扉１０のガスケット２８と貯蔵室開口部２９のガスケット接触面２９ａが密閉された時に、ガイド２２に対応する位置に設けられている。つまり、扉１０が閉じられた状態において、スライダー１６は、スライダー１６の位置決め面１６ｂとガイド２２の案内面２２ｃとが対向する位置に配置される。また、位置決め面１６ｂの傾斜角度は、扉１０が閉まり扉１０のガスケット２８と貯蔵室開口部２９のガスケット接触面２９ａが密閉された際に、位置決め面１６ｂと案内面２２ｃとが平行であることが望ましい。つまり、スライダー１６の位置決め面１６ｂとガイド２２の案内部２２ｂの案内面２２ｃとが当接した際に、位置決め面１６ｂと案内面２２ｃとが平行であることが望ましい。
【００２５】
スライダー１６の位置決め面１６ｂは冷蔵庫１００の奥側に向かって貯蔵容器１４側へ傾斜する位置決め面１６ｂを有しており、ガイド２２の案内面２２ｃはスライダー１６の位置決め面１６ｂと逆方向に傾斜している。つまり、ガイド２２の案内面２２ｃは、冷蔵庫１００の奥側から手前に向かって広がる方向に傾斜が付されている。スライダー１６とガイド２２とは、傾斜面が当接することで扉１０が案内される構成である為、スライダー１６の位置決め面１６ｂ及びガイド２２の案内面２２ｃは、冷蔵庫１００の前後方向に長くし傾斜角度を小さくするほど位置決めの精度が向上する。
【００２６】
図１０は、図１のＢ−Ｂ部の断面図である。図１１は、図１０の切替室４の部分の拡大図である。図１０及び図１１は、扉１０の開閉時のフレーム２１、スライダー１６、及びガイド２２の位置を示した水平断面図である。スライダー１６は、貯蔵容器１４を貯蔵室に収容する際、スライダー１６の位置決め面１６ｂが貯蔵室開口部２９に固定設置されたガイド２２の案内面２２ｃに向かって移動される。扉１０が貯蔵室開口部２９を閉塞する位置において、フレーム２１に取り付けられたスライダー１６の位置決め面１６ｂは、ガイド２２の案内面２２ｃに当接することで扉１０の冷蔵庫１００左右方向の位置決めがなされる。
【００２７】
図１２及び図１３は、実施の形態１に係る冷蔵庫１００の切替室４の位置決め構造の拡大図である。図１２は、扉１０が開いている状態であり、図１３は扉１０が閉じられた状態を示している。図１２及び図１３を用いて扉１０の開閉時における扉１０の位置決めについて説明する。以上のように構成された冷蔵庫１００の引出し式の扉１０においては、扉１０の開閉時はフレーム２１がガイド２２上を摺動すると共に、フレーム２１に取り付けられたローラー１８が内箱２４の側面に配設されたレール２３上を転動する。これにより扉１０は、ガイド２２及びレール２３により案内されながら移動し、貯蔵容器１４の貯蔵室内部からの引き出し及び貯蔵室内部への収納がなされる。
【００２８】
扉１０が開いた状態から押し込まれることにより、扉１０が冷蔵庫１００の貯蔵室側に移動し、貯蔵容器１４が収納される。扉１０のガスケット２８が貯蔵室開口部２９に接するときに、貯蔵容器１４の左右に取り付けられたスライダー１６の位置決め面１６ｂが貯蔵室の左右側面に設置されたガイド２２の案内面２２ｃに当接する。この構造を位置決め構造と呼ぶ。実施の形態１においては、貯蔵室の左右方向２箇所にガイド２２及びスライダー１６が配置されており、２箇所のうち少なくとも一方のガイド２２及びスライダー１６が当接すれば、扉１０は、所定の範囲内に位置することになる。貯蔵室の左右の端部に配置された２つのガイド２２の案内面２２ｃ同士の間の寸法Ａと、フレーム２１に取り付けられたスライダー１６の位置決め面１６ｂ同士の間の寸法Ｂとにより、扉１０が貯蔵室開口部２９を閉塞したときの位置の範囲が決まる。案内面２２ｃ同士の間の寸法Ａ及び位置決め面１６ｂ同士の間の寸法Ｂの設定は、扉１０が貯蔵室開口部２９を閉塞した状態において出来る限り差が小さい方が扉１０がとり得る位置の範囲が小さくなる。これにより扉１０の左右方向の移動が制限され、扉１０が閉塞された状態の位置が安定する。
【００２９】
引き出し式の扉１０の閉塞時の左右方向の位置が安定することから、扉１０は、開閉を繰り返しても所定の位置に収納出来る。そのため、扉１０の貯蔵室側の面に取り付けられたガスケット２８が貯蔵室開口部２９に接したときに、ガスケット２８と貯蔵室開口部２９のガスケット接触面２９ａとの位置のずれを抑えることができる。これにより、貯蔵室は、ガスケット２８とガスケット接触面２９ａにより密閉状態が保たれる。そして、冷蔵庫１００は、貯蔵室内からの冷気漏れ及び露付きが抑制される。更に、冷蔵庫１００は、隣接した引き出し式の扉９と扉１０との開閉動作時の衝突が防止され、外観の悪化を防ぐことができる。
【００３０】
実施の形態２
実施の形態２に係る冷蔵庫２００は、実施の形態１に係る冷蔵庫１００に対し、位置決め構造を追加したものである。実施の形態２に係る冷蔵庫２００においては、実施の形態１に対する変更点を中心に説明する。実施の形態２に係る冷蔵庫２００の各部については、各図面において同一の機能を有するものは実施の形態１の説明で使用した図面と同一の符号を付して表示するものとする。
【００３１】
図１４は、実施の形態２に係る冷蔵庫２００の切替室４の位置決め構造の構成を示す。実施の形態２においては、実施の形態１の位置決め構造に加え、貯蔵室の奥側にも位置決め構造を設けることで、更に扉１０の位置決め精度を高くすることが出来る。フレーム２２１は、フレーム２２１の先端部２２１ａ、つまりフレーム２２１の貯蔵室奥側に位置する部分に、スライダー２１６を備える。スライダー２１６は、実施の形態１のスライダー１６と同様に構成されている。従って、スライダー２１６は、位置決め面２１６ｂを備え、位置決め面２１６ｂは、貯蔵室奥側に向かうに従い貯蔵容器１４側に傾斜している。
【００３２】
貯蔵室の奥側に設置されているガイド２２２は、レール２２４の上に載置し固定する。レール２２４は、ガイド２２２を取り付ける位置に凹部を設けガイド２２２を固定する。また、フレーム２２１の先端部２２１ａには、スライダー２１６を設ける。スライダー２１６とガイド２２２とは、実施の形態１のスライダー１６とガイド２２と同様の構造を備えている。つまり、扉１０を閉めるに従ってスライダー２１６の位置決め面２１６ｃとガイド２２２の案内面２２２ｂの間の隙間が小さくなり、扉閉塞時には位置決め面２１６ｃと案内面２２２ｂとが当接することにより位置決めされる。
【００３３】
扉１０が閉じられた状態においては、扉１０の貯蔵室側の面に取り付けられたガスケット２８と貯蔵室開口部２９が密着する。その時、貯蔵室内の貯蔵室開口部２９側に設置されたガイド２２の案内面２２ｃとスライダー１６の位置決め面１６ｂとが、先に当接する様に構成される。つまり、貯蔵室開口部２９側の案内面２２ｃ同士の間の寸法Ａと位置決め面１６ｂ同士の間の寸法Ｂとの差Ａ−Ｂは、貯蔵室内の奥側にある、案内面２２２ｃ同士の間の寸法Ａ１と位置決め面２１６ｂ同士の間の寸法Ｂ１との差Ａ１−Ｂ１よりも小さく設定される。貯蔵室内の奥側にあるガイド２２２の案内面２２２ｃとスライダー２１６の位置決め面２１６ｂとの間に生じる隙間は、案内面２２ｃと位置決め面１６ｂとの間に生じる隙間よりも大きく設定されている。このように構成されることにより、扉１０に取り付けられたフレーム２２１は、貯蔵室の開口部側及び奥側において位置が決められるため、扉１０が閉じられた状態において、貯蔵室の開口部側及び奥側の両方で左右方向の位置の安定性が向上する。従って、扉１０は、開閉を繰り返しても貯蔵室の密閉を保つことが出来る。
【００３４】
実施の形態３
実施の形態３に係る冷蔵庫３００は、実施の形態２に係る冷蔵庫２００に対し、位置決め構造を変更したものである。実施の形態３に係る冷蔵庫３００においては、実施の形態２に対する変更点を中心に説明する。実施の形態３に係る冷蔵庫３００の各部については、各図面において同一の機能を有するものは実施の形態１及び実施の形態２の説明で使用した図面と同一の符号を付して表示するものとする。
【００３５】
図１５は、実施の形態３に係る冷蔵庫３００の切替室４の位置決め構造の構成を示す。実施の形態２に係る冷蔵庫２００の切替室４は、ガイド２２２をレール２２４に取り付ける必要があるため冷蔵庫２００の組立工程が増える。実施の形態３に係る冷蔵庫３００の切替室４においては、レール３２４の貯蔵室の奥側に位置する部分に、一体に形成された斜面部３２２を設ける。斜面部３２２は、実施の形態２におけるガイド２２２の案内面２２２ｂと同等の斜面が形成されている。斜面部３２２は、フレーム２２１のスライダー２１６の位置決め面２１６ｂと当接することにより、実施の形態２と同様の効果が得られる。
【００３６】
実施の形態４
実施の形態４に係る冷蔵庫４００は、実施の形態１に係る冷蔵庫１００に対し、位置決め構造に更にスペーサー３１を追加したものである。実施の形態３に係る冷蔵庫３００においては、実施の形態２に対する変更点を中心に説明する。実施の形態３に係る冷蔵庫３００の各部については、各図面において同一の機能を有するものは実施の形態１及び実施の形態２の説明で使用した図面と同一の符号を付して表示するものとする。
【００３７】
図１６は、実施の形態４に係る冷蔵庫４００の切替室４の位置決め構造の構成を示す。図１６は、貯蔵室の開口部側の位置決め構造を示している。フレーム２１は、実施の形態１と同様に穴１５を備えており、そこにスライダー１６が取り付けられている。ただし、スライダー１６とフレーム２１との間に薄板のスペーサー３１が取り付けられている。このように構成されることにより、スライダー１６の位置決め面１６ｂは、貯蔵容器１４から離れる側に配置される。そのため、冷蔵庫４００において、貯蔵室の奥行き方向の寸法及び貯蔵室の幅寸法が異なる場合であっても、スライダー１６の位置決め面１６ｂとガイド２２の案内面２２ｃとの間に生じる隙間の大きさが調整出来るようになっている。つまり、スペーサー３１の厚さ寸法を変更することにより、案内面２２ｃ同士の間の寸法Ａと位置決め面１６ｂ同士の間の寸法Ｂとの関係を調整できる。スペーサー３１のフレーム２１への取り付けは、例えば螺子等により固定することができる。スペーサー３１をフレーム２１へ螺子により取り付ける場合は、スライダー１６とガイド２２とによる位置決め動作への影響が無いように、位置決め面１６ｂに螺子が突出しないように取り付ける。
【００３８】
以上のように構成されることにより、異なる機種の冷蔵庫４００においてもスライダー１６及びガイド２２を共通で使用することができる。また、例えば切替室４以外の貯蔵室においてフレーム２１とガイド２２との寸法関係が異なる場合であっても、ガイド２２の案内面２２ｃ同士の間の寸法Ａとスライダー１６の位置決め面１６ｂ同士の間の寸法Ｂとの関係を適宜調整できる。これにより、冷蔵庫４００は、貯蔵室の寸法が変わっても、スペーサー３１の厚さを調整することにより、実施の形態１と同等の効果を得られる。
【００３９】
実施の形態５
実施の形態５に係る冷蔵庫５００は、実施の形態４に係る冷蔵庫４００に対し、スペーサー３１の材質を変更したものである。実施の形態５に係る冷蔵庫５００においては、実施の形態４に対する変更点を中心に説明する。実施の形態５に係る冷蔵庫５００の各部については、各図面において同一の機能を有するものは実施の形態４の説明で使用した図面と同一の符号を付して表示するものとする。
【００４０】
実施の形態５においては、スペーサー５３１が荷重により変形する材料で構成されている。例えば、スペーサー５３１は、発泡ウレタン又は発泡ポリエチレンにより構成し、粘着材等によりフレーム２１に貼り付けられるように構成される。つまり、スペーサー５３１は、クッション性のある部材、すなわち荷重が掛かった際に厚さ方向に圧縮され、荷重が除かれた際に復元する部材になっている。このように構成されることにより、スライダー１６の位置決め面１６ｂとガイド２２の案内面２２ｃとが当接した後に、更にスペーサー５３１が変形できる。これにより、実施の形態４における位置決め構造よりも、扉１０を閉じたときの案内面２２ｃ同士の間の寸法Ａと位置決め面１６ｂ同士の間の寸法Ｂとの差Ａ−Ｂを小さく設定することができる。差Ａ−Ｂは、０に設定されていても良い。位置決め面１６ｂと案内面２２ｃとが当接したあとにおいても、位置決め面１６ｂが貯蔵容器１４側に移動できるため、扉１０の開閉動作において、広い範囲で扉１０の位置が安定する。
【００４１】
実施の形態５においては、扉１０を閉じた状態におけるガスケット２８と開口部とが密着した後、又は密着と同時に位置決め面１６ｂと案内面２２ｃとが当接することで扉１０のがたつきが低減される。クッション性を備えるスペーサー５３１を用いることで、スライダー１６とガイド２２との隙間を、スペーサー５３１の収縮を考慮して設定することができる。つまり、スペーサー５３１の収縮出来る寸法の分だけ、スライダー１６とガイド２２との隙間を小さくし、扉１０を閉じる動作中においてスライダー１６とガイド２２とを早く当接させることができる。これにより様々な機種の冷蔵庫５００において扉１０のがたつきの低減ができ、扉１０の閉塞時の位置決めの安定性が向上する。
【符号の説明】
【００４２】
１  断熱箱体、２  冷蔵室、３  製氷室、４  切替室、５  冷凍室、６  野菜室、７  回転扉、８  回転扉、９  扉、１０  扉、１１  扉、１２  扉、１３  仕切り、１４  貯蔵容器、１５  穴、１６  スライダー、１６ａ  凸部、１６ｂ  位置決め面、１８  ローラー、２１  フレーム、２１ａ  先端部、２１ｂ  フレーム前端部、２２  ガイド、２２ａ  載置部、２２ｂ  案内部、２２ｃ  案内面、２２ｄ  突起、２３  レール、２４  内箱、２８  ガスケット、２９  貯蔵室開口部、２９ａ  ガスケット接触面、３１  スペーサー、１００  冷蔵庫、２００  冷蔵庫、２１６  スライダー、２１６ｂ  位置決め面、２１６ｃ  位置決め面、２２１  フレーム、２２２  ガイド、２２２ｂ  案内面、２２２ｃ  案内面、２２４  レール、３００  冷蔵庫、３２２  斜面部、３２４  レール、４００  冷蔵庫、５００  冷蔵庫、５３１  スペーサー、Ａ  寸法、Ａ１  寸法、Ｂ  寸法、Ｂ１  寸法。
【図１】
2019171567.tif 000003
【図２】
2019171567.tif 000004
【図３】
2019171567.tif 000005
【図４】
2019171567.tif 000006
【図５】
2019171567.tif 000007
【図６】
2019171567.tif 000008
【図７】
2019171567.tif 000009
【図８】
2019171567.tif 000010
【図９】
2019171567.tif 000011
【図１０】
2019171567.tif 000012
【図１１】
2019171567.tif 000013
【図１２】
2019171567.tif 000014
【図１３】
2019171567.tif 000015
【図１４】
2019171567.tif 000016
【図１５】
2019171567.tif 000017
【図１６】
2019171567.tif 000018
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
前面が開口した内箱と外箱から成る断熱箱体に形成された貯蔵室と、
前記貯蔵室の開口部を塞ぎ開閉自在に形成された引き出し式の扉と、
前記扉の前記貯蔵室を向いた面に取り付けられ、前記貯蔵室の開口部に密着するガスケットと、
前記扉の左右方向の端部から前記貯蔵室の奥に向かって延び、貯蔵容器を支持するフレームと、
前記貯蔵室の左右方向の端部に設けられたガイドと、を備え、
前記フレームは、
側面にスライダーが取り付けられ、
前記スライダーは、
前記貯蔵室の側面に向いた位置決め面を備え、
前記位置決め面は、
前記貯蔵室の前面から奥に向かって前記貯蔵容器側に傾斜し、
前記ガイドは、
前記扉が閉じられた状態において、前記スライダーの前記位置決め面と対向する案内面を備え、
前記案内面は、
前記貯蔵室の前面から奥に向かって前記貯蔵容器側に傾斜する、冷蔵庫。
【請求項２】
前面が開口した内箱と外箱から成る断熱箱体に形成された貯蔵室と、
前記貯蔵室の開口部を塞ぎ開閉自在に形成された引き出し式の扉と、
前記扉の前記貯蔵室を向いた面に取り付けられ、前記貯蔵室の開口部に密着するガスケットと、
前記扉の左右方向の端部から前記貯蔵室の奥に向かって延び、貯蔵容器を支持するフレームと、
前記貯蔵室に設けられたガイドと、を備え、
前記フレームは、
側面にスライダーが取り付けられ、
前記スライダーは、
前記貯蔵室の側面に向いた位置決め面を備え、
前記位置決め面は、
前記貯蔵室の前面から奥に向かって前記貯蔵容器側に傾斜し、
前記ガイドは、
前記貯蔵室の前記開口部の左右方向の端部の底面に設けられ、
前記フレームは、
前記扉が閉じられた状態において、前記ガイドに対応した位置に前記スライダーを有する、冷蔵庫。
【請求項３】
前記貯蔵室の奥側の底面に更に前記ガイドが備えられている、請求項１又は２記載の冷蔵庫。
【請求項４】
前記貯蔵室の側面に前後方向に沿って配設されたレールを更に備え、
前記ガイドは、
前記レールに一体に形成される、請求項１又は２記載の冷蔵庫。
【請求項５】
前記フレームと前記スライダーとの間に挟まれ配置されるスペーサーを更に備える、請求項１〜４の何れか１項に記載の冷蔵庫。
【請求項６】
前記スペーサーは、
前記スライダーの前記位置決め面に垂直な方向の荷重が掛かった際に厚さ方向に圧縮され、前記荷重が除かれた際に復元する材料で形成されている、請求項５記載の冷蔵庫。
【請求項７】
前記スライダーの前記位置決め面と前記ガイドの前記案内面とは、
前記扉が閉じられた状態において、当接する、請求項１〜６の何れか１項に記載の冷蔵庫。
【国際調査報告】
2019171567.tif 000019
2019171567.tif 000020
2019171567.tif 000021
2019171567.tif 000022